(57)【要約】【課題】  迅速にＯＦケーブル線路内の絶縁油を抜き取ることができる方法を提供する。【解決手段】  ＯＦケーブル線路上に設けられた若しくは設けたコネクタ部２１ａから内部の油通路に圧縮機８を用いて作動流体を供給し、該作動流体による絶縁油の押し出し力により、該コネクタ部２１ａから離れた箇所においてＯＦケーブル線路上に設けられた若しくは設けたコネクタ部２１ａから絶縁油を吐出させて回収する。また、絶縁油回収側のコネクタ部２１ａに吸引機８を接続し、絶縁油の吸引を併用すれば、なお効果的である。【選択図】  図２
2006109625.tif 000002
【特許請求の範囲】
【請求項１】
ＯＦケーブル線路内の絶縁油を抜き取るための方法であって、ＯＦケーブル線路上に設けられた若しくは設けたコネクタ部から内部の油通路に作動流体を供給し、該作動流体による絶縁油の押し出し力により、該コネクタ部から離れた箇所においてＯＦケーブル線路上に設けられた若しくは設けたコネクタ部から絶縁油を吐出させて回収することを特徴とするＯＦケーブル線路内の絶縁油抜き取り方法。
【請求項２】
前記絶縁油回収側のコネクタ部で油通路に吸引力を作用させることを同時に行う請求項１に記載のＯＦケーブル線路内の絶縁油抜き取り方法。
【請求項３】
地上、地中又は水中に敷設されたＯＦケーブル線路内の絶縁油を抜き取るための方法であって、作動流体供給側のコネクタ部を高位側にし、絶縁油回収側のコネクタ部を低位側にする請求項１又は２に記載のＯＦケーブル線路内の絶縁油抜き取り方法。
【請求項４】
前記作動流体供給側のコネクタ部及び前記絶縁油回収側のコネクタ部のそれぞれは、ＯＦケーブル線路の終端部に設けられたコネクタ部又はＯＦケーブル線路の途中箇所におけるケーブル接続部に設けられたコネクタ部である請求項１乃至３の何れか１項に記載のＯＦケーブル線路内の絶縁油抜き取り方法。
【発明の詳細な説明】
【技術分野】
【０００１】
本発明は、ＯＦケーブル（Oil-Filled cable：油浸絶縁電力ケーブル）線路の取り替えや撤去に当たり、ＯＦケーブル線路内に充填された絶縁油が漏れ出て周辺環境を汚染しないよう、その絶縁油を事前に抜き取っておく技術に関する。
【背景技術】
【０００２】
ＯＦケーブル線路は、その内部にケーブルの膨張収縮を吸収するための絶縁油が充填されており、この絶縁油がケーブル内の油通路と外部に設置された油圧調整タンクとに亘って出入りすることにより、ケーブルの膨張収縮が吸収されるようになっている。
【０００３】
ＯＦケーブル線路は、必要に応じ、水底（海底、河川底）に敷設されたり、地中に敷設されるが、経年劣化や送電容量アップ、異常障害等によってケーブルの取り替えが必要となる場合がある。あるいは、近年、高圧化が進んできたためにＣＶケーブルがＯＦケーブルに取って代わるようになり、既に使用することが無くなった既設のＯＦケーブル線路は撤去する必要がある。
【０００４】
ＯＦケーブル線路の取り替えや撤去に当たり、既設のＯＦケーブル線路から絶縁油が漏れ出て周辺環境を汚染しないようにする対策としては、例えば、特許文献１に記載された方法が公知である。かかる方法は、ＯＦケーブルを所定箇所で切断した後、その切断端部から油通路の絶縁油を一部抜き取り、その後、その油通路に封止材を注入すると共に、該封止材を凝固させて油通路を封止するものである。
【０００５】
【特許文献１】特許第２８８６２５５号公報
【発明の開示】
【発明が解決しようとする課題】
【０００６】
上記従来方法は、言うならば、切断端部に栓をして切断されたケーブル内に絶縁油を閉じ込める方法である。そのため、上記従来方法にあっては、封止材が外れたり、破損して、そこから絶縁油が漏れ出ることが考えられるし、ケーブルに傷が入り、そこから絶縁油が漏れ出ることも考えられる。従って、上記従来方法によらず、ケーブル線路内の絶縁油を抜き取っておく方が好ましい。
【０００７】
そこで、本発明は、迅速にＯＦケーブル線路内の絶縁油を抜き取ることができる方法を提供することを課題とするものである。
【課題を解決するための手段】
【０００８】
本発明は、ＯＦケーブル線路内の絶縁油を抜き取るための方法であって、ＯＦケーブル線路上に設けられた若しくは設けたコネクタ部から内部の油通路に作動流体を供給し、該作動流体による絶縁油の押し出し力により、該コネクタ部から離れた箇所においてＯＦケーブル線路上に設けられた若しくは設けたコネクタ部から絶縁油を吐出させて回収することを特徴とする。即ち、本発明は、作動流体による絶縁油の押し出し力により、ＯＦケーブル線路内の絶縁油を絶縁油回収側のコネクタ部に向かって流動させ、そこから絶縁油を吐出させるものである。
【０００９】
また、本発明は、前記絶縁油回収側のコネクタ部で油通路に吸引力を作用させることを同時に行う構成を採用することができる。かかる構成により、絶縁油回収側のコネクタ部に向かって流動する絶縁油の流動性が高められる。
【００１０】
また、本発明は、地上、地中又は水中に敷設されたＯＦケーブル線路内の絶縁油を抜き取るための方法であって、作動流体供給側のコネクタ部を高位側にし、絶縁油回収側のコネクタ部を低位側にする構成を採用することができる。かかる構成によれば、絶縁油の重力作用によって絶縁油が低位側に流動する力を受けるため、絶縁油回収側のコネクタ部に向かって流動する絶縁油の流動性がさらに高められる。
【発明の効果】
【００１１】
以上の如く、本発明は、一方のコネクタ部から内部の油通路に作動流体を供給し、該作動流体による絶縁油の押し出し力により、他方のコネクタ部から絶縁油を吐出させて回収するようにするので、迅速にＯＦケーブル線路内の絶縁油を抜き取ることができるようになる。
【００１２】
また、他方のコネクタ部で油通路に吸引力を作用させることを同時に行えば、絶縁油の流動性が高められるため、さらに迅速に絶縁油を抜き取ることができる。
【発明を実施するための最良の形態】
【００１３】
以下、本発明の一実施形態に係るＯＦケーブル線路内の絶縁油抜き取り方法について説明するが、これに先立ち、本実施形態に係る方法が適用されるＯＦケーブル線路について図１に基づき簡単に説明する。
【００１４】
ＯＦケーブル線路は、ＯＦケーブル１と、ケーブル分岐部２と、ケーブル線路終端部３と、ケーブル接続部４とを備える。ケーブル分岐部２は、例えば３心のＯＦケーブル１を各相に分岐する部分であり、一般的には「分岐箱」と呼ばれている。ケーブル線路終端部３は、ＯＦケーブル線路の終端立ち上げ部分に配置され、硝管３１と上部覆３２によって絶縁され、一般的には「終端接続箱」と呼ばれている。ケーブル接続部４は、隣り合うＯＦケーブル１，１を直線接続する部分であり、一般的には「直線接続箱」と呼ばれている。これらの構成は既存のものと変わりない。
【００１５】
このようなＯＦケーブル線路では、給油管５を介してケーブル分岐部２に油タンク６が接続されている。より具体的には、ケーブル分岐部２を構成するハウジング２１に形成され且つ内部の油通路と連通するコネクタ部２１ａに給油管５が接続されることにより、ケーブル線路の略全長に亘って形成されている油通路と油タンク６内とが給油管５を介して接続されている。
【００１６】
ＯＦケーブル線路の説明は以上の通りであり、次に、本実施形態に係る絶縁油抜き取り方法について図２に基づき説明する。尚、図２のケーブル線路は、図１のケーブル線路を模式的に表現したものである。
【００１７】
まず最初に、各ケーブル分岐部２のコネクタ部２１ａを開放にし、その状態で、一方のケーブル分岐部２のコネクタ部２１ａに圧縮機７を接続すると共に、他方のケーブル分岐部２のコネクタ部２１ａに吸引機８を接続する。
【００１８】
圧縮機７は、圧縮空気を生成し且つこれを一方のケーブル分岐部２のコネクタ部２１ａを介してＯＦケーブル線路内に圧送するためのものであり、一方、吸引機８は、他方のケーブル分岐部２のコネクタ部２１ａを介してＯＦケーブル線路内の絶縁油を吸引し且つこれを回収するためのものである。
【００１９】
そこで、次に、圧縮機７を作動させ、一方のケーブル分岐部２から油通路に圧縮空気を供給する。これにより、ＯＦケーブル線路内の絶縁油は、圧縮空気に押されて他方のケーブル分岐部２側に流動し、他方のケーブル分岐部２の開放されたコネクタ部２１ａから吐出される。また、吸引機８も同時に作動させることで、他方のケーブル分岐部２側に流動する絶縁油を吸引し、これにより、絶縁油の流動性を促進させる。
【００２０】
このように、本実施形態に係る絶縁油抜き取り方法によれば、絶縁油を抜き取りたい箇所から離れた箇所で油通路に圧縮空気を供給して絶縁油に押し出し力を作用させると共に、絶縁油を抜き取りたい箇所で油通路に吸引力を作用させることで、迅速にＯＦケーブル線路内の絶縁油を抜き取ることができるのである。
【００２１】
尚、本発明は、上記実施形態に限定されるものではなく、本発明の要旨を逸脱しない範囲で種々の変更が可能である。
【００２２】
例えば、上記実施形態においては、給油用のコネクタ部２１ａ，２１ａに圧縮機７及び吸引機８を接続し、一方のコネクタ部２１ａから油通路に圧縮空気を供給すると共に、他方のコネクタ部２１ａから油通路の絶縁油を吸引するようにしているが、これらの箇所は、給油用のコネクタ部２１ａ，２１ａに限定されず、例えば、絶縁油の劣化度を検査するために採油用のコネクタ部が別途設けられているならば、そこに圧縮機７や吸引機８を接続するようにしてもよい。
【００２３】
また、上記実施形態においては、ＯＦケーブル線路の端と端に圧縮機７及び吸引機８を接続し、ＯＦケーブル線路内の絶縁油を一回で抜き取るようにしているが、例えば、ＯＦケーブル線路を複数区分に分割し、それぞれの区分毎に絶縁油を抜き取るようにしてもよい。この場合、図１及び図２に示す如く、ケーブル接続部４を構成するハウジング４１にもコネクタ部４１ａが形成されているので、このコネクタ部４１ａに圧縮機７や吸引機８を接続すればよい。
【００２４】
また、上記実施形態においては、３心のＯＦケーブル１であるため、ケーブル線路終端部３とは別にケーブル分岐部２が設けられているが、単心のＯＦケーブルであれば、ケーブル線路終端部に給油用のコネクタ部が設けられているので、ここに圧縮機７や吸引機８を接続することになる。また、３心のＯＦケーブル１であっても、ケーブル線路終端部３に給油用のコネクタ部が設けられていることもあるので、これを利用することもできる。
【００２５】
また、上記実施形態においては、３心のＯＦケーブル１を対象とした絶縁油の抜き取りについて説明しているが、単心のＯＦケーブルであれば、３相に対応して３本が敷設されているので、各ＯＦケーブル毎に絶縁油の抜き取りを行うこととなる。
【００２６】
また、上記実施形態においては、既設のコネクタ部２１ａを利用して絶縁油を抜き取るようにしているが、絶縁油を抜き取るに際し、コネクタ部をＯＦケーブル線路上に新たに形成し、これを利用するようにしてもよい。
【００２７】
また、上記実施形態においては、圧縮機７及び吸引機８をそれぞれどちら側のコネクタ部に接続したらよいかは明確に言及していないが、例えば、ＯＦケーブル線路が山肌等の傾斜面に沿って敷設され、勾配を有しているような場合、高位側のコネクタ部に圧縮機７を接続し、低位側のコネクタ部に吸引機８を接続すれば、絶縁油の重力作用によって絶縁油が低位側に流動する力を受けるため、より迅速にＯＦケーブル線路内の絶縁油を抜き取ることが可能となる。
【００２８】
また、上記実施形態においては、圧縮機７を用いて圧縮空気を供給するようにしているが、要はＯＦケーブル線路内の絶縁油に押し出し力を作用させることができるものであればよく、従って、圧縮機は例示に過ぎない。また、作動流体は、空気以外の気体や水等、周辺環境を汚染しないものであればよい。
【００２９】
また、上記実施形態においては、圧縮機７と共に吸引機８を併用しているが、圧縮機と同様、吸引機も例示に過ぎない。また、圧縮機７による絶縁油の押し出し力が十分である場合は、吸引機８は不要である。
【図面の簡単な説明】
【００３０】
【図１】従来からのＯＦケーブル線路の概念図を示す。
【図２】本実施形態に係る絶縁油抜き取り方法を適用したＯＦケーブル線路の概念図を示す。
【符号の説明】
【００３１】
１…ＯＦケーブル、２…ケーブル分岐部、２１…ハウジング、２１ａ…コネクタ部、３…ケーブル線路終端部、３１…硝管、３２…上部覆、４…ケーブル接続部、４１…ハウジング、４１ａ…コネクタ部、５…給油管、６…油タンク、７…圧縮機、８…吸引機
【図１】
2006109625.tif 000003
【図２】
2006109625.tif 000004